(57)【特許請求の範囲】
【請求項１】
縦型配置のガス絶縁遮断器を内蔵した縦型配置のガス絶縁主タンク、このガス絶縁主タンクの上部一側に当該ガス絶縁主タンクの延在方向とほぼ直角を成して連結され前記ガス絶縁遮断器の可動側からフィーダを引き出す第１のガス絶縁枝管、前記ガス絶縁主タンク下部一側に当該ガス絶縁主タンクの延在方向とほぼ直角を成して連結され前記ガス絶縁遮断器の固定側をガス絶縁母線に接続する第２のガス絶縁枝管、前記ガス絶縁主タンクの延在方向上側に配設された遮断器操作装置、前記第１のガス絶縁枝管に内蔵されたフィーダ側変流器、前記第１のガス絶縁枝管に当該第１のガス絶縁枝管の上側に位置して配設され前記フィーダを一次導体とする計器用変圧器、及び前記第１のガス絶縁枝管に当該第１のガス絶縁枝管の上側に位置して配設され前記フィーダに接続された避雷器を備えたガス絶縁電力機器。
【請求項２】
請求項１に記載のガス絶縁電力機器において、前記遮断器操作装置と前記計器用変圧器と前記避雷器とが何れも、前記ガス絶縁主タンクの延在方向とほぼ直角を成す平面上に存在することを特徴とするガス絶縁電力機器。
【請求項３】
請求項１および請求項２の何れか一に記載のガス絶縁電力機器において、前記遮断器操作装置と前記フィーダ側変流器と前記避雷器と前記計器用変圧器とが、前記ガス絶縁主タンクの延在方向とほぼ直角を成す直線上に存在することを特徴とするガス絶縁電力機器。
【請求項４】
請求項１〜請求項３の何れか一に記載のガス絶縁電力機器において、前記ガス絶縁主タンクと平行を成して延在し前記フィーダを外部に導出する縦型配置のケーブルヘッドが、前記第１のガス絶縁枝管の下側に位置して配設されていることを特徴とするガス絶縁電力機器。
【請求項５】
請求項４に記載のガス絶縁電力機器において、前記ガス絶縁主タンクと前記第１のガス絶縁枝管と前記ケーブルヘッドとで囲まれる空間内に前記第２のガス絶縁枝管および前記ガス絶縁母線が存在することを特徴とするガス絶縁電力機器。
【請求項６】
請求項１〜請求項３の何れか一に記載のガス絶縁電力機器において、前記フィーダを外部に導出するブッシングが、前記第１のガス絶縁枝管の延長線上に存在することを特徴とするガス絶縁電力機器。
【請求項７】
請求項１〜請求項６の何れか一に記載のガス絶縁電力機器において、前記計器用変圧器および前記避雷器の何れもガス絶縁タイプであり、これら計器用変圧器および避雷器が、前記第１のガス絶縁枝管を介して前記ガス絶縁主タンクと絶縁ガスによって連通されていることを特徴とするガス絶縁電力機器。
【発明の詳細な説明】
【技術分野】
【０００１】
この発明は、ガス絶縁遮断器を介してガス絶縁母線とフィーダとを接続するガス絶縁電力機器に関するものである。
【背景技術】
【０００２】
ガス絶縁遮断器を介してガス絶縁母線とフィーダとを接続するガス絶縁電力機器は、例えば特許文献１（特開平１０―２５７６２２号公報）に示されているように、ガス絶縁母線、ガス絶縁遮断器、断路器、接地開閉器、変流器、計器用変圧器、等の各種構成機器を組み合わせて構成されている。【０００３】
例えば、前記特許文献１における図２では、遮断部１ａの上に変流器４が配設され、変流器４の水平方向側方に電力ケーブル接続部２が配設され、電力ケーブル接続部２の上に計器用変圧器６が配設されている。【０００４】
また、前記特許文献１における図１では、遮断部１ａの上に変流器４が配設され、変流器４の水平方向側方に電力ケーブル接続部２が配設され、電力ケーブル接続部２の更に水平方向側方に計器用変圧器６が配設されている。【０００５】
また、前記特許文献１における図６では、遮断器１の上部の水平方向側方に変流器４が配設され、この変流器４の更に水平方向側方に線路側断路器５ａ、保守点検用接地開閉器５ｂ、線路側接地開閉器５ｃが配設され、これら線路側断路器５ａ、保守点検用接地開閉器５ｂ、線路側接地開閉器５ｃの更に水平方向側方に電力ケーブル接続部２が配設されている。【０００６】
なお、遮断指令信号により遮断部１ａをトリップしたり投入指令信号により遮断部１ａを投入する遮断器操作装置は、前記特許文献１には記載されていない。
また、ガス絶縁電力機器の構成機器やガス絶縁電力機器のフィーダに接続される負荷を落雷や襲雷から保護する避雷器についても、前記特許文献１には記載されていない。
前記特許文献１における図６に相当する技術が開示されている特許文献２（特開平２−１５９９０８号公報）にも、遮断器操作装置や避雷器については記載されていない。【０００７】
【特許文献１】特開平１０―２５７６２２号公報（図１、図２、図６及びその説明）
【特許文献２】特開平２−１５９９０８号公報（図１及びその説明）
【発明の開示】
【発明が解決しようとする課題】
【０００８】
前記特許文献１の図２に示されているように、遮断部１ａの上に変流器４が配設され、変流器４の水平方向側方に電力ケーブル接続部２が配設され、電力ケーブル接続部２の上に計器用変圧器６が配設されている構成では、垂直方向には、遮断部１ａの上に変流器４が位置、更に変流器４の上に計器用変圧器６が位置する構成となるので、ガス絶縁電力機器の全高が一般道路の高さ制限、例えば３．６ｍ、を超えてしまうケースケースが多くなり、その場合は、組み立てたままでは一般道路での輸送ができなくなるので、輸送前に一旦分解し、輸送後に現地で再度組み立てるといった余分な作業が発生する。【０００９】
前記特許文献１の図１に示されているように、遮断部１ａの上に変流器４が配設され、変流器４の水平方向側方に電力ケーブル接続部２が配設され、電力ケーブル接続部２の更に水平方向側方に計器用変圧器６が配設されている構成では、ガス絶縁電力機器の全高は前記特許文献１の図２の場合に比べて低くなり、一般道路の高さ制限、例えば３．６ｍ、を超えてしまうケースケースは殆ど無くなり、輸送前に一旦分解し、輸送後に現地で再度組み立てるといった余分な作業は殆ど発生しなくなるが、ガス絶縁電力機器の水平方向の全長が前記特許文献１の図２の場合に比べて長くなり、据え付け面積が大きくなり、例えば、屋内変電所に適用した場合は、建屋の大型化によるコスト高の問題が生じる。【００１０】
前記特許文献１の図６に示されているように、遮断器１の上部の水平方向側方に変流器４が配設され、この変流器４の更に水平方向側方に線路側断路器５ａ、保守点検用接地開閉器５ｂ、線路側接地開閉器５ｃが配設され、これら線路側断路器５ａ、保守点検用接地開閉器５ｂ、線路側接地開閉器５ｃの更に水平方向側方に電力ケーブル接続部２が配設されている構成では、ガス絶縁電力機器の全高は前記特許文献１の図１より更に低くなる反面、ガス絶縁電力機器の水平方向の全長が前記特許文献１の図１の場合に比べて更に長くなるという問題が生じる。【００１１】
前記特許文献２についても、ガス絶縁電力機器の全高は前記特許文献１の図１より更に低くなる反面、ガス絶縁電力機器の水平方向の全長が前記特許文献１の図１の場合に比べて更に長くなるという問題が生じる。【００１２】
この発明は、前述のような実情に鑑みてなされたもので、避雷器も考慮に入れてガス絶縁電力機器の長さ及び高さともに小型化を図ることを目的とするものである。
【課題を解決するための手段】
【００１３】
この発明に係るガス絶縁電力機器は、縦型配置のガス絶縁遮断器を内蔵した縦型配置のガス絶縁主タンク、このガス絶縁主タンクの上部一側に当該ガス絶縁主タンクの延在方向とほぼ直角を成して連結され前記ガス絶縁遮断器の可動側からフィーダを引き出す第１のガス絶縁枝管、前記ガス絶縁主タンク下部一側に当該ガス絶縁主タンクの延在方向とほぼ直角を成して連結され前記ガス絶縁遮断器の固定側をガス絶縁母線に接続する第２のガス絶縁枝管、前記ガス絶縁主タンクの延在方向上側に配設された遮断器操作装置、前記第１のガス絶縁枝管に内蔵されたフィーダ側変流器、前記第１のガス絶縁枝管に当該第１のガス絶縁枝管の上側に位置して配設され前記フィーダを一次導体とする計器用変圧器、及び前記第１のガス絶縁枝管に当該第１のガス絶縁枝管の上側に位置して配設され前記フィーダに接続された避雷器を備えたものである。
【発明の効果】
【００１４】
この発明は、縦型配置のガス絶縁遮断器を内蔵した縦型配置のガス絶縁主タンク、このガス絶縁主タンクの上部一側に当該ガス絶縁主タンクの延在方向とほぼ直角を成して連結され前記ガス絶縁遮断器の可動側からフィーダを引き出す第１のガス絶縁枝管、前記ガス絶縁主タンク下部一側に当該ガス絶縁主タンクの延在方向とほぼ直角を成して連結され前記ガス絶縁遮断器の固定側をガス絶縁母線に接続する第２のガス絶縁枝管、前記ガス絶縁主タンクの延在方向上側に配設された遮断器操作装置、前記第１のガス絶縁枝管に内蔵されたフィーダ側変流器、前記第１のガス絶縁枝管に当該第１のガス絶縁枝管の上側に位置して配設され前記フィーダを一次導体とする計器用変圧器、及び前記第１のガス絶縁枝管に当該第１のガス絶縁枝管の上側に位置して配設され前記フィーダに接続された避雷器を備えているので、避雷器も考慮に入れてガス絶縁電力機器の長さ及び高さともに小型化を図ることができる。
【発明を実施するための最良の形態】
【００１５】
実施の形態１．
以下、この発明の実施の形態１を、図１〜図３によって説明する。図１は複母線方式の給電系の一例を示す系統図、図２は図１の系統図に対応するガス絶縁電力機器の一例を一部を断面にして示す側面図、図３は図２に示すガス絶縁電力機器の平面図である。なお、図１〜図３において同一部分には同一符号を付してある。【００１６】
この発明の実施の形態１における複母線方式の給電系の一例は図１に示すように、複母線Ｘ，Ｙが、母線側断路器ＤＳ１，ＤＳ２を介してフィーダの遮断器ＣＢに接続されている。母線側断路器ＤＳ１，ＤＳ２の前記遮断器ＣＢ側および前記遮断器ＣＢの断路器ＤＳ１，ＤＳ２側は接地開閉器ＥＳ１に接続されている。フィーダケーブルの接続端であるケーブルヘッドＣＨＤと前記遮断器ＣＢとの間には、フィーダ側の変流器ＣＴ１、避雷器ＬＡ、フィーダ側の断路器ＤＳ３、計器用変圧器ＶＴ、フィーダ側の接地開閉器ＥＳ２、および線路側接地開閉器ＦＥＳが接続されている。これら各機器は、図２に示すようにガス絶縁され相互に連結されて一体化されたガス絶縁電力機器を構成する。この図２に示すガス絶縁電力機器の構成は、避雷器も考慮に入れてガス絶縁電力機器の幅および高さともに小型化を図る構成であり、避雷器も考慮に入れてガス絶縁電力機器の幅および高さともに小型化する意図のない前述の特許文献１および特許文献２に記載のガス絶縁電力機器とは本質的に異なる。【００１７】
つまり、本実施の形態１の構成は、ガス絶縁主タンクGIMT、第１のガス絶縁枝管GIBT1、第２のガス絶縁枝管GIBT2、第３のガス絶縁枝管GIBT3、前記複母線Ｘ，Ｙ、前記母線側断路器ＤＳ１，ＤＳ２、前記遮断器ＣＢ、前記接地開閉器ＥＳ１、前記ケーブルヘッドＣＨＤ、前記変流器ＣＴ１、前記避雷器ＬＡ、前記断路器ＤＳ３、前記計器用変圧器ＶＴ、前記接地開閉器ＥＳ２、および前記線路側接地開閉器ＦＥＳ、等が、図２および図３に示すように物理的に配置された構成である。【００１８】
特に、縦型配置のガス絶縁遮断器ＣＢを内蔵した縦型配置のガス絶縁主タンクGIMT、このガス絶縁主タンクGIMTの上部一側に当該ガス絶縁主タンクGIMTの延在方向とほぼ直角を成してフランジＦＬＦを介して連結され前記ガス絶縁遮断器ＣＢの可動側からフィーダを引き出す第１のガス絶縁枝管GIBT1、前記ガス絶縁主タンクGIMT下部一側に当該ガス絶縁主タンクGIMTの延在方向とほぼ直角を成してフランジＦＬＹを介して連結され前記ガス絶縁遮断器ＣＢの固定側をガス絶縁母線Ｙに接続する第２のガス絶縁枝管GIBT2、前記ガス絶縁主タンクGIMTの延在方向上側に配設された遮断器操作装置ＨＳＧ、前記第１のガス絶縁枝管GIBT1に内蔵されたフィーダ側変流器ＣＴ１、前記第１のガス絶縁枝管GIBT1に当該第１のガス絶縁枝管GIBT1の上側に位置して配設され前記フィーダを一次導体とする計器用変圧器ＶＴ、及び前記第１のガス絶縁枝管GIBT1に当該第１のガス絶縁枝管GIBT1の上側に位置して配設され前記フィーダに接続された避雷器ＬＡを備えた構成にしてあることから、ガス絶縁電力機器の高さ及び長さの双方を小型化することができる。【００１９】
なお、前記第２のガス絶縁枝管GIBT2は、前記第１のガス絶縁枝管GIBT1の下方に位置して当該第１のガス絶縁枝管GIBT1と平行を成して延在している。【００２０】
また、前記ガス絶縁主タンクGIMT下部一側に当該ガス絶縁主タンクGIMTの延在方向とほぼ直角を成してフランジＦＬＸを介して連結され前記ガス絶縁遮断器ＣＢの固定側をガス絶縁母線Ｘに接続する第３のガス絶縁枝管GIBT3が、前記第１のガス絶縁枝管GIBT1と前記第２のガス絶縁枝管GIBT2との間に位置して当該第１のガス絶縁枝管GIBT1および第２のガス絶縁枝管GIBT2の各々と平行を成して延在している。【００２１】
前記ガス絶縁母線Ｘおよび前記ガス絶縁母線Ｙはいわゆる複母線であり、これら複母線Ｘ，Ｙは互いに上下に位置して配設され、両者はガス絶縁電力機器の範囲内では互いに平行を成して延在している。【００２２】
前記遮断器操作装置ＨＳＧと前記計器用変圧器ＶＴと前記避雷器ＬＡとは何れも、特に図２に図示のように、前記ガス絶縁主タンクGIMTの延在方向とほぼ直角を成す平面ＰＳ上に存在している。【００２３】
前記遮断器操作装置ＨＳＧと前記フィーダ側変流器ＣＴ１と前記避雷器ＬＡと前記計器用変圧器ＶＴとは、特に図３に図示のように、前記ガス絶縁主タンクGIMTの延在方向とほぼ直角を成す直線ＳＬ上に存在している。【００２４】
前記ガス絶縁主タンクGIMTと平行を成して延在し前記フィーダを外部（負荷側）に導出する縦型配置のケーブルヘッドＣＨＤが、特に図２に図示のように、前記第１のガス絶縁枝管GIBT1の下側に位置して配設されている。【００２５】
前記第１のガス絶縁枝管GIBT1の前記ガス絶縁主タンクGIMTと反対側の端部には、追加設置の第１のガス絶縁枝管GIBT12が一体に連接されており、これらの第１のガス絶縁枝管GIBT1，GIBT12は同軸をなし、絶縁ガスで連通している。また、前記縦型配置のケーブルヘッドＣＨＤは、前記第１のガス絶縁枝管GIBT12に、フランジを介して直接連接されている。なお、第１のガス絶縁枝管GIBT1，GIBT12は絶縁ガスで相互に連通されているが、必要に応じて周知の絶縁スペーサによって非連通とする場合もある。また、他の機器間、例えば、前記第１のガス絶縁枝管GIBT1と前記計器用変圧器ＶＴとの間、前記第１のガス絶縁枝管GIBT12と前記計器用変圧器ＶＴとの間、前記第１のガス絶縁枝管GIBT12と前記ケーブルヘッドＣＨＤとの間、前記ガス絶縁主タンクGIMTと前記第３のガス絶縁枝管GIBT3との間、前記ガス絶縁主タンクGIMTと前記第２のガス絶縁枝管GIBT2との間、等も絶縁ガスで相互に連通されているが、必要に応じて周知の絶縁スペーサによって非連通とする場合もあり、後述のこの発明の実施の形態２〜５の場合も同様である。【００２６】
前記ガス絶縁主タンクGIMTと前記第１のガス絶縁枝管GIBT1，GIBT12と前記ケーブルヘッドＣＨＤとで囲まれる空間ＳＰＣ内に、前記第２のガス絶縁枝管GIBT2、前記ガス絶縁母線Ｙ、前記第３のガス絶縁枝管GIBT3、および前記ガス絶縁母線Ｘが存在している。【００２７】
前記計器用変圧器ＶＴおよび前記避雷器ＬＡの何れもガス絶縁タイプであり、これら計器用変圧器ＶＴおよび避雷器ＬＡは、前記第１のガス絶縁枝管GIBT1，GIBT12を介して前記ガス絶縁主タンクGIMTと絶縁ガスによって連通されている。【００２８】
また、図３に例示してあるように、前記ガス絶縁複母線の一方の前記ガス絶縁Ｙ母線は前記第２のガス絶縁枝管GIBT2と直角を成して交差し、前記ガス絶縁複母線の他方の前記ガス絶縁Ｘ母線は前記第３のガス絶縁枝管GIBT3と直角を成して交差している。【００２９】
前記ガス絶縁複母線の一方の前記ガス絶縁Ｙ母線および他方の前記ガス絶縁Ｘ母線は、図示のように、何れも３相一括のガス絶縁母線である。なお、これらガス絶縁母線Ｘ、Ｙは、各相毎に分離された相分離ガス絶縁母線としてもよい。しかし、相分離ガス絶縁母線方式にした場合は、当該母線に接続あるいは連結される機器も含めて構造が複雑となることから、例えば、６０ＫＶを１ランク超える高電圧系では採用しても、例えば、６０ＫＶレベル、あるいは６０ＫＶ以下の系では構造が複雑にならない３相一括ガス絶縁母線方式の方が好ましい。【００３０】
また、前記ガス絶縁Ｙ母線と前記第２のガス絶縁枝管GIBT2との交差部および前記ガス絶縁Ｘ母線と前記第３のガス絶縁枝管GIBT3との交差部に、母線側断路器ＤＳ２および母線側断路器／設置開閉器DS1／ES1が内蔵され、当該断路器の操作装置DSOM2，DSOM1が、前記ガス絶縁Ｙ母線と前記第２のガス絶縁枝管GIBT2との交差部の下側および前記ガス絶縁Ｘ母線と前記第３のガス絶縁枝管GIBT3との交差部の下側に設けられている。
なお、前記母線側断路器／設置開閉器DS1／ES1は周知のものであるので、その具体的な構造は図示省略してあるが、操作装置DSOM1によって操作されることによって、断路器投入位置ＤＳから断路器開放位置Ｎへ回動し、更に回動操作されれば、接地電位のタンク或いは菅に接続された接地端子に接続される接地位置ＥＳに至り、逆方向に操作すればＥＳ→Ｎ→ＤＳの各位置に順に至る。【００３１】
また、前記ガス絶縁主タンクGIMT内に突出して配設され前記ガス絶縁複母線の一方の前記ガス絶縁Ｙ母線および前記ガス絶縁複母線の他方のガス絶縁Ｘ母線と接続されている３相の直線状の第１の接続導体3ΦCD1Y，3ΦCD1X、および前記ガス絶縁主タンクGIMT内に配設され上端が前記ガス絶縁遮断器ＣＢに下端および中間部が前記第１の接続導体3ΦCD1Y，3ΦCD1Xに夫々接続された３相の直線状の第２の接続導体3ΦCD2が設けられている。また、前記第２の接続導体3ΦCD2は、図示のように、前記第１の接続導体3ΦCD1Y，3ΦCD1Xと直角を成して周知のチューリップコンタクトにより当該第１の接続導体3ΦCD1Y，3ΦCD1Xに接続されている。従って、前記第１の接続導体3ΦCD1Y，3ΦCD1Xと前記第２の接続導体3ΦCD2とを接続する接続用の折れ曲がり導体は不要であり、しかも、任意に必要となる母線側変流器（後述のＣＴ２）の設置も可能となる。【００３２】
また、図示のように、前記ガス絶縁遮断器ＣＢおよび当該ガス絶縁遮断器ＣＢよりフィーダ側は３相一括のガス絶縁機器である。なお、前記ガス絶縁遮断器ＣＢおよび当該ガス絶縁遮断器ＣＢよりフィーダ側は、各相毎に分離されたもの、つまり相分離ガス絶縁機器としてもよい。しかし、各相毎に分離した相分離方式にした場合は、構造が複雑となることから、例えば、６０ＫＶを１ランク超える高電圧系では採用しても、例えば、６０ＫＶレベル、あるいは６０ＫＶ以下の系では、本実施の形態１のように、構造が複雑にならない３相一括方式の方が好ましい。【００３３】
また、図示のように、前記ガス絶縁遮断器ＣＢの可動側からフィーダを引き出す前記第１のガス絶縁枝管GIBT1はベローズGIBT1BLを直列に有している。前記ベローズGIBT1BLはその構造上伸縮できるので、前記フィーダケーブルＦＣの接続端であるケーブルヘッドＣＨＤ側のタンクと前記ガス絶縁主タンクGIMTとの間への前記第１のガス絶縁枝管GIBT1の組み込み、事故時や点検時の前記ケーブルヘッドＣＨＤ側のタンクと前記ガス絶縁主タンクGIMTとの間からの前記第１のガス絶縁枝管GIBT1の取り外し、を容易に行うことができる。【００３４】
また、図示のように、前記ガス絶縁遮断器ＣＢの前記遮断器操作装置ＨＳＧが前記ガス絶縁主タンクGIMTの外側に位置して当該ガス絶縁主タンクGIMTの上部に取り付けられ、前記縦型配置のガス絶縁遮断器ＣＢの消孤室ＡＥＣは当該ガス絶縁遮断器ＣＢの下部側に位置している。【００３５】
また、図示のように、前記消孤室ＡＥＣの下端部に対応して前記ガス絶縁主タンクGIMTの側壁にパーティクルトラップPTCLTPが設けられている。パーティクルトラップPTCLTP自体は周知であるが、本実施の形態１では、前記消孤室ＡＥＣの下端部に対応して前記ガス絶縁主タンクGIMTの側壁に設けられたパーティクルトラップPTCLTPは、前記ガス絶縁遮断器ＣＢの遮断動作時にその接点からアークによって蒸発する金属蒸気が前記消孤室ＡＥＣの下端部から若干量飛散するので、当該飛散し浮遊する金属蒸気を捕捉するものである。【００３６】
実施の形態２．
以下、この発明の実施の形態２を、図４および図５によって説明する。図４は複母線方式の給電系の他の一例を示す系統図、図５は図４の系統図に対応するガス絶縁電力機器の一例を一部を断面にして示す側面図である。なお、図４および図５において、前述の図１〜図３と同一又は相当部分には同一符号を付してあり、以下の本実施の形態２についての説明は、前述の図１〜図３と異る点を主に説明し、その他の説明は割愛する。【００３７】
本実施の形態２は、図５に例示してあるように、前記計器用変圧器ＶＴおよび前記避雷器ＬＡのレイアウトを、前述のこの発明の実施の形態１と逆にした事例である。即ち、前述のこの発明の実施の形態１においては前記縦型配置のケーブルヘッドＣＨＤの真上に前記計器用変圧器ＶＴを配設してある場合を例示したが、本実施の形態２では、前記縦型配置のケーブルヘッドＣＨＤの真上に前記避雷器ＬＡを配設した場合を例示してあり、長さ及び高さの双方を小型化できる点で前述のこの発明の実施の形態１と同じ効果がある。【００３８】
実施の形態３．
以下、この発明の実施の形態３を、図６および図７によって説明する。図６は単母線方式の給電系の一例を示す系統図、図７は図６の系統図に対応するガス絶縁電力機器の一例を一部を断面にして示す側面図である。なお、図６および図７において、前述の図１〜図５と同一又は相当部分には同一符号を付してあり、以下の本実施の形態３についての説明は、前述の図１〜図５と異る点を主に説明し、その他の説明は割愛する。【００３９】
本実施の形態３では、図７に例示してあるように、単母線である前記ガス絶縁母線Ｙだけが配設されている点と、前記第２のガス絶縁枝管GIBT2と前記ガス絶縁母線Ｙとの交差部の上側に、覗き窓ＰＷＹが設けられている点が、前述の実施の形態１と異なっている。【００４０】
前記覗き窓ＰＷＹは、前記第２のガス絶縁枝管GIBT2の下部にある前記操作装置DSOM2の真上に位置している。【００４１】
前記覗き窓ＰＷＹの上方には前記第１のガス絶縁枝管GIBT1が在るが、前記第１のガス絶縁枝管GIBT1と前記覗き窓ＰＷＹとの間には充分な空間が形成されることから当該覗き窓ＰＷＹからその内部の目視は容易に行える。
なお、前記覗き窓ＰＸＹと前記操作装置DSOM2とを同じ側、例えば何れも前記第２のガス絶縁枝管GIBT2の上側に配設してもよい。【００４２】
実施の形態４．
以下、この発明の実施の形態４を、図８および図９によって説明する。図８は複母線方式の給電系の他の一例を示す系統図、図９は図８の系統図に対応するガス絶縁電力機器の一例を一部を断面にして示す側面図である。なお、図８および図９において、前述の図１〜図７と同一又は相当部分には同一符号を付してあり、以下の本実施の形態４についての説明は、前述の図１〜図７と異る点を主に説明し、その他の説明は割愛する。【００４３】
本実施の形態４は、図８および図９に例示してあるように、前記遮断器ＣＢの前記複母線Ｘ，Ｙ側に、前記複母線Ｘ，Ｙに共用の母線側変流器ＣＴ２が設けられている点、および前記複母線Ｘ，Ｙが、前記ガス絶縁主タンクGIMTの下部の周方向両側に位置しているが、前述の図１〜図７と異なっている。【００４４】
前記母線側変流器ＣＴ２の物理的な配置は、図９に例示してあるように、前記第１の接続導体3ΦCD1と前記ガス絶縁遮断器ＣＢの前記消孤室ＡＥＣとの間に位置して前記第２の接続導体3ΦCD2の電流を検出するように当該第２の接続導体3ΦCD2の周りに設けられている。この構成により、前記母線側変流器ＣＴ２を前記複母線Ｘ，Ｙの各々に対応して個別に設ける必要がなくなる。【００４５】
前記第２および第３のガス絶縁枝管GIBT2，GIBT3、および前記母線Ｘ，Ｙが、前記ガス絶縁主タンクGIMTの下部の周方向両側に位置するので、前記母線側変流器ＣＴ２を、前記第１の接続導体3ΦCD1と前記ガス絶縁遮断器ＣＢの前記消孤室ＡＥＣとの間に設置しても前記ガス絶縁主タンクGIMTの高さを高くする必要はなく、一般道路の高さ制限以内の高さに維持できるので、据え付けスペースに余裕がある場合には適用可能である。【００４６】
また、本実施の形態４は、観点を変えれば、図９に例示してあるように、前記複母線Ｘ，Ｙに共用の母線側変流器ＣＴ２を備え、更に、覗き窓ＰＷＸ，ＰＷＹを備えている事例である。【００４７】
また、本実施の形態４は、縦型配置の前記ガス絶縁主タンクGIMTに内蔵された縦型配置の前記ガス絶縁遮断器ＣＢと、前記ガス絶縁主タンクGIMTの上部一側に当該ガス絶縁主タンクGIMTの延在方向とほぼ直角を成してフランジＦＬＦを介して連結され変流器ＣＴ１を内蔵すると共に前記ガス絶縁遮断器ＣＢの可動側からフィーダを引き出す第１のガス絶縁枝管GIBT1と、前記ガス絶縁主タンクGIMTの下部の周方向両側にそれぞれ当該ガス絶縁主タンクGIMTの延在方向とほぼ直角を成してフランジＦＬＸ，ＦＬＹを介して連結され一方が前記ガス絶縁遮断器ＣＢの固定側をガス絶縁複母線の一方のガス絶縁Ｙ母線に他方が前記ガス絶縁遮断器ＣＢの固定側を前記ガス絶縁複母線の他方のガス絶縁Ｘ母線にそれぞれ接続する第２および第３のガス絶縁枝管GIBT2，GIBT3とを備えた構成にしてあることから、前記第２および第３のガス絶縁枝管GIBT2，GIBT3、および前記母線Ｘ，Ｙが、前記ガス絶縁主タンクGIMTの下部の周方向両側に位置するので、耐震性が向上すると共に、母線側変流器ＣＴ２の設置スペースを前記ガス絶縁主タンクGIMTの高さを高くすることなく確保することが可能であり、前記第１のガス絶縁枝管GIBT1と第２および第３のガス絶縁枝管GIBT2，GIBT3との間に保守点検等の十分な作業スペースを確保できる。【００４８】
なお、前記第２および第３のガス絶縁枝管GIBT2，GIBT3は同軸上に配設され、前記第２のガス絶縁枝管GIBT2は、前記第１のガス絶縁枝管GIBT1の直下に当該第１のガス絶縁枝管GIBT1と平行をなして配設され、更に、前記第１のガス絶縁枝管GIBT1および前記第２および第３のガス絶縁枝管GIBT2，GIBT3は、前記ガス絶縁主タンクGIMTと直角を成して配設されている。【００４９】
実施の形態５．
以下、この発明の実施の形態５を、ガス絶縁電力機器の事例を一部を断面にして示す側面図である図１０によって説明する。なお、図１０において、前述の図１〜図９と同一又は相当部分には同一符号を付してあり、以下の本実施の形態５についての説明は、前述の図１〜図９と異る点を主に説明し、その他の説明は割愛する。【００５０】
本実施の形態５は、図１０に例示してあるように、前述の図１〜９におけるケーブルヘッダＣＨＤに代えてブッシングＢＳＧを使用した場合の事例である。前記フィーダを外部に導出する前記ブッシングＢＳＧは、前記第１のガス絶縁枝管GIBT1，GIBT12の延長線上に存在するように配設されている。なお、前記ブッシングＢＳＧは、輸送後に、現地で前記第１のガス絶縁枝管GIBT1，GIBT12に連接される。【００５１】
本実施の形態５のガス絶縁電力機器は、図１０に例示してあるように、前記ブッシングＢＳＧを除く他の部分の構成は前述のこの発明の実施の形態１とほぼ同じであるので、前述のこの発明の実施の形態１と同等の効果を奏する。
【図面の簡単な説明】
【００５２】
【図１】この発明の実施の形態１を示す図で、複母線方式の給電系の一例を示す系統図である。
【図２】この発明の実施の形態１を示す図で、図１の系統図に対応するガス絶縁電力機器の一例を一部を断面にして示す側面図である。
【図３】この発明の実施の形態１を示す図で、図２に示すガス絶縁電力機器の平面図である。
【図４】この発明の実施の形態２を示す図で、複母線方式の給電系の他の一例を示す系統図である。
【図５】この発明の実施の形態２を示す図で、図５の系統図に対応するガス絶縁電力機器の一例を一部を断面にして示す側面図である。
【図６】この発明の実施の形態３を示す図で、単母線方式の給電系の一例を示す系統図である。
【図７】この発明の実施の形態３を示す図で、図７の系統図に対応するガス絶縁電力機器の一例を一部を断面にして示す側面図である。
【図８】この発明の実施の形態４を示す図で、複母線方式の給電系の他の一例を示す系統図である。
【図９】この発明の実施の形態４を示す図で、図９の系統図に対応するガス絶縁電力機器の一例を一部を断面にして示す側面図である。
【図１０】この発明の実施の形態５を示す図で、ガス絶縁電力機器の他の一例を一部を断面にして示す側面図である。
【符号の説明】
【００５３】
ＡＥＣ  ガス絶縁遮断器ＣＢの消孤室    ＣＢ  ガス絶縁遮断器
ＣＨＤ  ケーブルヘッド                ＣＴ１  変流器
ＣＴ２，CT21，CT22  母線側変流器      ＤＳ  断路器投入位置
ＤＳ１，ＤＳ２  母線側断路器          ＤＳ３  断路器
DSOM1，DSOM2  断路器の操作装置        DS1／ES1  母線側断路器／設置開閉器
ＥＳ  接地位置                        ＥＳ１，ＥＳ２  接地開閉器
ＦＣ  フィーダケーブル                ＦＥＳ  線路側接地開閉器
ＦＬＦ  フランジ（第１のフランジ）    FLSP  第４のフランジ
FLSPA  第５のフランジ                ＦＬＸ  フランジ（第３のフランジ）
ＦＬＹ  フランジ（第２のフランジ）    FLUL  フランジ
GIBT1  第１のガス絶縁枝管            GIBT1BL  ベローズ
GIBT2  第２のガス絶縁枝管            GIBT3  第３のガス絶縁枝管
GIMT  ガス絶縁主タンク                GIMTL  下部ガス絶縁主タンク
GIMTU  上部ガス絶縁主タンク          GSSP  絶縁ガス区分板
ＬＡ  避雷器                          ＨＳＧ  遮断器操作装置
Ｎ  断路器開放位置                    ＰＳ  平面
PTCLTP  パーティクルトラップ          ＰＷＸ，ＰＷＹ  覗き窓
ＳＬ  直線                            ＳＰＣ  空間
ＶＴ  計器用変圧器                    Ｘ，Ｙ  複母線
3ΦCD1，3ΦCD1X，3ΦCD1Y  直線状の第１の接続導体
3ΦCD2  直線状の第２の接続導体。
【図１】
0004790801.tif 000002
【図２】
0004790801.tif 000003
【図３】
0004790801.tif 000004
【図４】
0004790801.tif 000005
【図５】
0004790801.tif 000006
【図６】
0004790801.tif 000007
【図７】
0004790801.tif 000008
【図８】
0004790801.tif 000009
【図９】
0004790801.tif 000010
【図１０】
0004790801.tif 000011